(57)【要約】【課題】施工が容易であり、施工後に左右勝手を変更することも容易な片引き引戸の開口部構造を提供する【解決手段】少なくとも上枠１１および左右縦枠１２，１３を有する開口枠１４内に壁パネル１５が固定されると共に引戸１６，１７が移動可能に設けられて開口部１８を開閉する。壁パネルは、その一側面が一方の縦枠１２に取り外し可能に固定され、その下端部が床面Ｆに取り外し可能に固定され、その上面木口に設けられた突片３０が上枠の下面側に形成された突片差込溝３１に差し込まれて位置決めされる。上枠の下面側に開口部の略全幅に亘って延長する溝３４，３５が形成され、この溝のうち壁パネルの幅に相当する部分が突片差込溝となり、残部の溝に幕板３２が差し込まれて固定される。【選択図】図４
2014037752.tif 000002
【特許請求の範囲】
【請求項１】
少なくとも上枠および左右縦枠を有する開口枠内に、その一側面が左右いずれか一方の縦枠に当接した状態で固定されると共にその他側面と他方の縦枠との間に開口部を与えるように設けられる壁パネルと、その一側面を該一方の縦枠に当接させることにより前記開口部を開口させると共にその他側面を他方の縦枠に当接させることにより前記開口部を閉止させるように設けられる移動可能な引戸とを有し、壁パネルは、その前記一側面が前記一方の縦枠に固定され、その下端部が床面または開口枠の下枠に固定され、その上面木口に設けられた突片が上枠の下面側に形成された突片差込溝に差し込まれることを特徴とする片引き引戸の開口部構造。
【請求項２】
壁パネルの前記一側面が取り外し可能な固定具で前記一方の縦枠に固定され、壁パネルの下面が取り外し可能な固定具で床面または開口部の下枠に固定されることを特徴とする、請求項１記載の片引き引戸の開口部構造。
【請求項３】
前記上枠の下面側に開口部の略全幅に亘って延長する溝が形成され、この溝のうち壁パネルの幅に相当する部分が前記突片差込溝となり、残部の溝に幕板が差し込まれて固定されることを特徴とする、請求項１または２記載の片引き引戸の開口部構造。
【発明の詳細な説明】
【技術分野】
【０００１】
本発明は、片引き引戸の開口部構造に関する。
【背景技術】
【０００２】
従来の片引き引戸の開口部構造の一例が特許文献１に示されている。この開口部構造は、二つの部屋を仕切る仕切壁の開口部の一方の空間側には引戸枠が設けられて該引戸枠内に引戸が幅方向に移動可能に設けられ、他方の空間側には袖壁によって引戸枠より小さい開口幅を有するように形成された開口枠が設けられ、引戸を袖壁の背後に収容することによって通行可能な開口部を形成する。
【先行技術文献】
【特許文献】
【０００３】
【特許文献１】特開２００４−０１９１８８号公報
【発明の概要】
【発明が解決しようとする課題】
【０００４】
しかしながら、このような開口部構造によると、引戸を走行自在ないし開閉自在に収容するための引戸枠とは別に、開口枠（縦枠および方立）を設ける必要があり、また、開口枠が設けられる空間側において仕切壁の開き端側から閉じ端側に向けて袖壁を延長形成させなければならず、施工手間およびコストが増大する。また、たとえば現場で一旦施工した後やリフォームの際に開き方向（左右勝手）を変更する必要が生じた場合、この開口部構造では袖壁および開口枠を撤去した後に反対側に袖壁を設けると共に新たに開口枠を設けなければならず、施工手間がかかる。
【０００５】
したがって、本発明が解決しようとする課題は、施工が容易であり、しかも、一旦施工した後の現場やリフォームの際に簡単な作業で開き方向を変更することができる、片引き引戸の開口部構造を提供することである。
【課題を解決するための手段】
【０００６】
この課題を解決するため、請求項１に係る本発明は、少なくとも上枠および左右縦枠を有する開口枠内に、その一側面が左右いずれか一方の縦枠に当接した状態で固定されると共にその他側面と他方の縦枠との間に開口部を与えるように設けられる壁パネルと、その一側面を該一方の縦枠に当接させることにより前記開口部を開口させると共にその他側面を他方の縦枠に当接させることにより前記開口部を閉止させるように設けられる移動可能な引戸とを有し、壁パネルは、その前記一側面が前記一方の縦枠に固定され、その下端部が床面または開口枠の下枠に固定され、その上面木口に設けられた突片が上枠の下面側に形成された突片差込溝に差し込まれることを特徴とする片引き引戸の開口部構造。
【０００７】
請求項２に係る本発明は、請求項１記載の片引き引戸の開口部構造において、壁パネルの前記一側面が取り外し可能な固定具で前記一方の縦枠に固定され、壁パネルの下面が取り外し可能な固定具で床面または開口部の下枠に固定されることを特徴とする。
【０００８】
請求項３に係る本発明は、請求項１または２記載の引戸において、前記上枠の下面側に開口部の略全幅に亘って延長する溝が形成され、この溝のうち壁パネルの幅に相当する部分が前記突片差込溝となり、残部の溝に幕板が差し込まれて固定されることを特徴とする。
【発明の効果】
【０００９】
請求項１に係る本発明によれば、壁パネルを固定するに当たり、その上面木口に設けられた突片を上枠下面の突片差込溝に差し込んで位置決めした状態で、その一側面を縦枠に固定すると共にその下端部を床面または開口枠の下枠に固定するので、壁パネルの位置決めが容易であり、したがって片引き引戸の開口部構造の施工が容易であって、しかも強固な開口部構造を得ることができる。
【００１０】
請求項２に係る本発明によれば、現場で一旦施工した後やリフォームの際に開き方向を変更する必要が生じたときであっても、引戸を取り外した後に壁パネルを取り外し、その後、左右勝手を代えて壁パネルを再度位置決めおよび固定して、引戸を取り付けることができる。
【００１１】
請求項３に係る本発明によれば、開口部の略全幅に亘って延長するように上枠下面に形成した溝の一部を突片差込溝として利用すると共に残部を幕板差込溝として利用することができるので、引戸の開閉幅領域においては上枠との連結部を両面側において幕板で隠蔽する作用を果たしながら、壁パネルの設置幅領域においては突片を挿入して壁パネルの位置決めを行うことができ、これら溝を別々に形成する必要がなく、しかも上述した左右勝手の変更の際も上枠を変えることなく施工することができる。
【図面の簡単な説明】
【００１２】
【図１】本発明の一実施形態による片引き引戸の開口部構造を閉止状態で示す正面図（ａ）および横断面図（Ａ−Ａ断面図）（ｂ）である。
【図２】この開口部構造の背面図である。
【図３】この開口部構造の縦断面図（図１中Ｂ−Ｂ断面図）である。
【図４】この開口部構造の上部拡大縦断面図である。
【図５】この開口部構造の下部拡大縦断面図である。
【図６】この開口部構造を開放状態で示す正面図（ａ）および横断面図（Ｃ−Ｃ断面図）（ｂ）である。
【発明を実施するための形態】
【００１３】
以下、本発明による片引き引戸の開口部構造について図１〜図６に示す実施形態に基いて詳述する。この開口部構造１０は、上枠１１と左右縦枠１２，１３とからなる三方枠としての開口枠１４を有し、開口枠１４内に１枚の壁パネル１５と２枚の引戸１６，１７とが設けられている。
【００１４】
壁パネル１５は、その一側面（正面視において左側面）が一方の縦枠（この実施形態では左縦枠１２）に当接した状態で固定され、その他側面（正面視において右側面）が他方の縦枠（この実施形態では右縦枠１３）との間に開口部１８（図６）を与える。この実施形態では１枚の壁パネル１５が用いられているが、必要に応じて複数枚の壁パネルを並置しても良い。
【００１５】
２枚の引戸１６，１７は、それらの一側面（正面視において左側面）を左縦枠１２に当接させることにより開口部１８を実質的に開口させると共に、引戸１７の他側面を右縦枠１３に当接させることにより開口部１８を実質的に閉止させるように開閉自在に設けられる。この実施形態では、引戸１７の閉じ端側に取手１９を設け、この取手１９を持って引戸１７を移動させたときに公知の連動機構（図示せず）により引戸１６を同方向に連動させて開閉するようにしているが、１枚の引戸を用いても良いし、３枚以上の引戸を用いても良い。また、複数枚の引戸を用いる場合において、連動機構を用いずに各々の引戸を移動させて開閉するようにしても良い。
【００１６】
引戸１６，１７の取付について説明する。引戸１６，１７の各上面に吊り車２０，２１が回動自在に取り付けられ、上枠１１の下面には下方に向けて開口するレール２２，２３が取り付けられている。吊り車２０，２１がレール２２，２３に走行自在に収容されることにより、引戸１６，１７が各々上吊り形式で上枠１１に取り付けられる。引戸１６の下端には、床面Ｆに固定されて直立する一または複数のガイドピン２４を移動可能に収容するガイドピン差込溝２５が形成され、引戸１７の下端には、引戸１６の下端前面に固定したＬ金具２６の先端から直立するガイドピン２７を移動可能に収容するガイドピン差込溝２８が形成され、引戸１６，１７が壁厚方向に振れることを防止しつつ円滑に開閉移動できるように案内している。この引戸取付構造は公知の一例にすぎず、他の取付構造を採用しても良い。また、既述したように引戸１６は引戸１７に連動するものであり、この実施形態では、引戸１７を引戸１６に連結するためのＬ金具２６、ガイドピン２７、ガイドピン差込溝２８などで連動機構が構成されているが、これに限定されることなく任意の連動機構を採用することができる。
【００１７】
次に、壁パネル１５の固定について説明する。この実施形態では、壁パネル１５は、その一側面（正面視において左側面）が左縦枠１２に当接した状態で固定具（図示せず）により固定され、その下端部がＬ金具２９により床面Ｆに固定され、その上面木口から上方に突出する突片３０が上枠１１の下面側に形成された突片差込溝３１に差し込まれて位置決めされている。Ｌ金具２９は壁パネル１５の下端部と床面Ｆとにそれぞれビス（図５において図示省略）で固定される。壁パネル１５を左縦枠１２に固定する固定具は、取り外し可能タイプの固定具を使用することが好ましく、たとえば株式会社ムラコシ精工のタイタスジョイント（商品名）を使用することができる。このジョイント金具は、接合する一方の部材（たとえば左縦枠１２）の接合端に円盤状部材を埋設固定すると共に、他方の部材（たとえば壁パネル１５）の接合端にスクリューを挿入し、円盤状部材に内蔵されたカムを外部からドライバーなどを用いて一方向に回転させることによりスクリューの頭部を円盤状部材に締結させて両部材を緊密に接合することができ、また、反対方向に回転させることにより取り外すこともできる。あるいは、ダボなどを用いて取り外し可能に接合しても良い。
【００１８】
この実施形態では、幕板３２の上端を固定するために上枠１１の下面に形成されている幕板差込溝３４を利用して、その一部（壁パネル１５の幅に相当する上方部分）を突片差込溝３１としている。すなわち、引戸１６，１７を上枠１１から吊り下げる上吊りタイプの引戸構造の場合、該上吊り機構を構成する吊り車２０，２１やレール２２，２３などの部材を隠蔽するために、引戸１６，１７の両面側に幕板３２，３３を設置することが好ましく、このために上枠１１の下面に開口枠１４の全幅に亘って幕板差込溝３４，３５が形成されていることが多い。この実施形態では、壁パネル１５が設置されない側（背面（図２），図４および図５において左側）では、開口枠１４の全幅に亘る幕板３３を幕板差込溝３５に挿入して取り付け、壁パネル１５設置側（正面（図１），図４および図５において右側）では、壁パネル１５が存在しない開口部１８については開口部１８と同幅を有する幕板３２を幕板差込溝３４に挿入して取り付けると共に、幕板差込溝３４の残部を突片差込溝３１として利用して、ここに壁パネル１５の突片３０を挿入している。このようにすることで、引戸の上吊り機構を両面側において幕板３２，３３で隠蔽する作用を果たしながら、突片差込溝３１を別途に形成する必要がない。
【００１９】
この実施形態による片引き引戸の開口部構造の施工について説明する。まず、二つの部屋を仕切る仕切壁の開口部に、上枠１１と左右縦枠１２，１３とからなる三方枠としての開口枠１４を取り付ける。次いで、この開口枠１４の一方の縦枠（この実施形態では左縦枠１２）に当接させた状態で壁パネル１５を固定する。この固定は、前述したように、壁パネル１５の上面から突出する突片３０を上枠１１下面の突片差込溝３１（幕板差込溝３４の一部）に差し込み、壁パネル１５が垂直となるようにその下端部をＬ金具２９で床面Ｆに固定すると共に、その一側面（正面視において左側面）を左縦枠１２に当接させた状態にして、好ましくは取り外し可能タイプの固定具で固定することによって行うことができる。
【００２０】
次いで、レール２２，２３にそれぞれ吊り車２０，２１を取り付けた上でこれらを上枠１１の下面にビスなどで固定し、２枚の引戸１６，１７の上部にそれぞれ連動機構の部材を取り付けた後、これら引戸１６，１７をそれぞれ吊り車２０，２１に取り付け上吊り支持すると共に、連動部材同士を連結させることによって連動機構を完成させる。また、床面Ｆから突出するガイドピン２４を引戸１６下端のガイドピン差込溝２５に収容し、引戸１６に固定したＬ金具２６から突出するガイドピン２７を引戸１７下端のガイドピン差込溝２８に収容する。
【００２１】
このようにして施工された開口部構造において、閉止状態（図１，図２）から取手１９を持って引戸１７を正面視左方向に移動させると、引戸１６も連動して同方向に移動し、最後には２枚の引戸１６，１７が重なり合った状態で壁パネル１５の後方に収められて開放状態（図６）となる。また、開放状態（図６）から取手１９を持って引戸１７を正面視右方向に移動させると、引戸１６も連動して同方向に移動し、閉止状態（図６）とすることができる。
【００２２】
この開口部構造によれば、壁パネル１５は、その一側面（正面視において左側面）が左縦枠１２に当接した状態で固定具（図示せず）により固定され、その下端部がＬ金具２９により床面Ｆに固定し、その上面木口から上方に突出する突片３０が上枠１１の下面側に形成された突片差込溝３１に差し込まれて位置決めされることにより、安定した状態で不動に固定されている。また、引戸１６，１７の上吊り機構を隠蔽するための幕板３２，３３の上端を挿入するために上枠１１下面にあらかじめ幕板差込溝３４，３５が形成されていることに鑑みて、幕板差込溝３４の一部を利用して突片差込溝３１として壁パネル１５の固定に用いているので、突片差込溝３１を別途に形成する必要がない。
【００２３】
また、この開口部構造は、たとえば現場で一旦施工した後やリフォームの際に開き方向（右勝手、左勝手）を変更する必要が生じた場合であっても簡単に対応することができる。この場合は、引戸１６，１７を取り外し、Ｌ金具２９を固定しているビスを取り外すと共に前述の取り外し可能タイプのジョイント金具のカムを前記反対方向に回転させて取り外した上で上端の突片３０を上枠１１下面の突片差込溝３１から引き抜くことによって壁パネル１５を取り外した後、左右勝手を代えて壁パネル１５を固定し、引戸１６，１７を取り付ければ良い。
【００２４】
本発明について実施例を挙げて詳細に説明したが、本発明はこれら実施例に限定されるものではなく、特許請求の範囲の記載の範囲内において多様な実施形態を取り得る。たとえば、上記実施形態においては、壁パネル１５の下端部をＬ金具２９で固定しているが、取り外し可能タイプの他の金具（たとえば壁パネル１５を縦枠に接合するために用いた前述のジョイント金具）を用いて床面Ｆに固定しても良い。
【００２５】
また、上記実施形態では、上枠１１と左右縦枠１２，１３とからなる三方枠としての開口枠１４が用いられているが、さらに下枠を有する四方枠としての開口枠であっても良い。この場合は、壁パネル１５の下端部は該下枠に対して固定され、引戸１６のガイドピン差込溝２５にも該下枠から上方に突出するガイドピン２４が収容されることになる。
【符号の説明】
【００２６】
１０  片引き引戸の開口部構造
１１  上枠
１２  左縦框
１３  右縦枠
１４  開口枠
１５  壁パネル
１６，１７  引戸
１８  開口部
１９  取手
２０，２１  吊り車
２２，２３  レール
２４  ガイドピン
２５  ガイドピン差込溝
２６  Ｌ金具
２７  ガイドピン
２８  ガイドピン差込溝
２９  Ｌ金具
３０  突片
３１  突片差込溝
３２，３３  幕板
３４、３５  幕板差込溝
Ｆ  床面
【図１】
2014037752.tif 000003
【図２】
2014037752.tif 000004
【図３】
2014037752.tif 000005
【図４】
2014037752.tif 000006
【図５】
2014037752.tif 000007
【図６】
2014037752.tif 000008